(57)【要約】【課題】  ミストユニットボックス内での水漏れ発生時に漏れ水による家屋への被害を防止すること。【解決手段】  暖房機本体１に、循環ファン６０と、循環ファン６０により通風される空気を熱源機８２からの熱媒にて加熱する空調用熱交換器５６とを設けると共に、給水路１２から供給される水を熱媒にて加熱する液−液熱交換器１１と、この液−液熱交換器１１で加熱された温水を浴室１０内にミスト状に噴霧するミストノズル１３とを設けたミストサウナ機能付き浴室暖房装置である。少なくとも液−液熱交換器１１を収納したミストユニットボックス３を暖房機本体ボックス１ａに取り付け、このミストユニットボックス３の底部３ａに、ミストユニットボックス３内の水漏れ発生時に漏れ水Ｗを浴室１０内に流し落すための水抜き用貫通部５を開設した。【選択図】        図１
2006071142.tif 000002
【特許請求の範囲】
【請求項１】
暖房機本体に、循環ファンと、循環ファンにより通風される空気を熱源機からの熱媒にて加熱する空調用熱交換器とを設けると共に、給水路から供給される水を前記熱媒にて加熱する液−液熱交換器と、この液−液熱交換器で加熱された温水を浴室内にミスト状に噴霧するミストノズルとを設けたミストサウナ機能付き浴室暖房装置であって、少なくとも前記液−液熱交換器を収納したミストユニットボックスが暖房機本体ボックスに取り付けてあり、前記ミストユニットボックスの底部に、前記ミストユニットボックス内の水漏れ発生時に漏れ水を浴室内に流し落すための水抜き用貫通部を開設したことを特徴とするミストサウナ機能付き浴室暖房装置。
【請求項２】
前記ミストユニットボックスを暖房機本体ボックスの上に搭載したことを特徴とする請求項１記載のミストサウナ機能付き浴室暖房装置。
【請求項３】
前記ミストユニットボックス内の水漏れ発生時以外のときに水抜き用貫通部を封止するための封止部材を設けたことを特徴とする請求項１又は請求項２記載のミストサウナ機能付き浴室暖房装置。
【請求項４】
前記封止部材は、漏れ水の重量を受けたときに水抜き用貫通部を開く方向に撓み且つ該重量を受けなくなったときは水抜き用貫通部を閉じる方向に撓み可能な弾性を有するフラップ弁からなることを特徴とする請求項３記載のミストサウナ機能付き浴室暖房装置。
【請求項５】
前記ミストユニットボックス内に水漏れセンサを配置すると共に、水漏れセンサによる水漏れ検出時に、装置の運転を停止する信号を送出する制御手段と、異常を報知する報知手段とを備えることを特徴とする請求項１乃至請求項４のいずれかに記載のミストサウナ機能付き浴室暖房装置。
【請求項６】
前記ミストユニットボックスの外部の配管接続箇所で発生した漏れ水をミストユニットボックスの内部に導入するための水受け部材を設けたことを特徴とする請求項１乃至請求項５のいずれかに記載のミストサウナ機能付き浴室暖房装置。
【発明の詳細な説明】
【技術分野】
【０００１】
本発明は、ミストサウナ機能付き浴室暖房装置に関し、詳しくはミストユニットボックス内の水漏れ発生時に漏れ水による家屋への被害をいち早く止めることができるようにする技術に関するものである。
【背景技術】
【０００２】
従来から、ミストサウナを実現するにあたり、水を加熱し、ミストノズルより少量の温水をミスト状に噴霧すると共に、温風にて加熱することにより、浴室内でミストサウナ浴ができるようにしたものがある。
【０００３】
その一例として、ミストユニットボックス内に温水循環路と、温水循環路から分岐した温水分岐循環路と、この温水分岐循環路に接続される液−液熱交換器とをそれぞれ収納し、給湯機からの温水を温水循環路を通して暖房機本体ボックス内の空調用熱交換器に供給して浴室暖房を行ない、その一方で、温水を温水分岐循環路から液−液熱交換器に分配供給してミスト噴霧温度を上昇させるようにしたミストサウナ機能付き浴室暖房装置が知られている（例えば特許文献１参照）。
【０００４】
ところで、ミストユニットボックス内の水周りの配管接続は施工工事によるものであるが、施工不良によって接続箇所から水漏れが発生したり、或いは液−液熱交換器の破壊による水漏れが発生することがある。この場合、ミストユニットボックスは天井裏に配置されているため、ユーザーは水漏れになかなか気がつかないものであり、これを放置しておくと、漏れ水による家屋への被害が発生する。
【０００５】
そこで、前記特許文献１に見られる従来例では、ミストユニットボックス内に水漏れセンサを配置して、水漏れを検出したときは警報ランプを点灯させて使用者に警告するようにしている。さらにミストユニットボックスの側壁に浴室内に連通するオーバーフローパイプを取り付け、ミストユニットボックス内の漏れ水をオバーフローによって浴室内に流すようにしているが、この従来例では、オバーフローしない溜まり水がミストユニットボックスの底部に溜まり、このためミスト運転を長期間行なわない場合は、溜まった水に雑菌が繁殖したり、腐食してカビが発生することがあり、このため再度の使用時に、汚れた溜まり水がオーバーフローによって浴室内に落ちてしまう恐れがあり、不衛生であるという問題がある。
【０００６】
しかも、従来例では、ミストユニットボックスの側壁に浴室内に通じるオーバーフローパイプを設けているため、浴室内の湿気がオーバーフローパイプからミストユニットボックス内に浸入してくる。このため、水漏れセンサを電極式で構成した場合にあっては、湿気の影響を受けて水漏れセンサの両端子部が短絡して、誤動作する恐れがある。さらに、ミストユニットボックス内に浸入した湿気が天井裏にも浸入して建材を腐らせるという問題もある。
【０００７】
そのうえ、従来例では、ミストユニットボックス内に液−液熱交換器と温水分岐循環路以外に、収空調用熱交換器に接続される温水循環路が収納されている。つまり給湯機からの温水を一旦、ミストユニットボックス内の温水循環路に供給し、そこから温水分岐循環路を通して液−液熱交換器に温水を供給するシステムであるため、ミストユニットボックス内の配管数が多くなり、このため金属製のミストユニットボックスの大型化、重量化を招くという問題もある。
【特許文献１】特開２００３−３３６８７５号公報
【発明の開示】
【発明が解決しようとする課題】
【０００８】
本発明は前記の従来の問題点に鑑みて発明したものであって、ミストユニットボックス内での水漏れ発生時に漏れ水による家屋への被害をいち早く止めることができ、さらに漏れ水を浴室内に排出でき、安心してミストサウナ浴を楽しむことができるミストサウナ機能付き浴室暖房装置を提供することを課題とし、またミストユニットボックスに浴室内に連通する水抜き用貫通部を開設した構造でありながら、浴室の湿気の影響を受けない水漏れ検出を実現できるミストサウナ機能付き浴室暖房装置を提供することを課題とするものである。
【課題を解決するための手段】
【０００９】
前記課題を解決するために本発明は、暖房機本体１に、循環ファン６０と、循環ファン６０により通風される空気を熱源機８２からの熱媒にて加熱する空調用熱交換器５６とを設けると共に、給水路１２から供給される水を前記熱媒にて加熱する液−液熱交換器１１と、この液−液熱交換器１１で加熱された温水を浴室１０内にミスト状に噴霧するミストノズル１３とを設けたミストサウナ機能付き浴室暖房装置であって、少なくとも前記液−液熱交換器１１を収納したミストユニットボックス３が暖房機本体ボックス１ａに取り付けてあり、前記ミストユニットボックス３の底部３ａに、前記ミストユニットボックス３内の水漏れ発生時に漏れ水Ｗを浴室１０内に流し落すための水抜き用貫通部５を開設したことを特徴としている。
【００１０】
このような構成とすることで、例えば、ミストユニットボックス３内に収納されている液−液熱交換器１１の破壊による水漏れや、施工不良による水周りの配管接続箇所からの水漏れが発生した場合でも、その漏れ水Ｗはミストユニットボックス３の底部３ａに設けた水抜き用貫通部５を通って浴室１０内に流れ落ちる。従って、漏れ水Ｗが本装置が設置されている天井裏に漏れ出す心配がなく、家屋への被害をいち早く止めることができる。しかも水抜き用貫通部５はミストユニットボックス３の底部３ａに設けられるため、漏れ水Ｗは浴室１０内に排水されるようになり、衛生的なミストサウナ浴を安心して楽しむことができる。
【００１１】
また、前記ミストユニットボックス３を暖房機本体ボックス１ａの上に搭載するのが好ましく、この場合、水抜き用貫通部５から流れ落ちる漏れ水Ｗを暖房機本体ボックス１ａの吸い込みグリル等の既存の隙間を利用して、浴室１０内に排水可能となる。しかも、暖房機本体ボックス１ａの上にミストユニットボックス３を取り付けることによって、全体を小型化することができると共に、暖房機本体１の各部品の基本設計を変えずに、ミストサウナ機能を容易に付加できるようになる。
【００１２】
また、前記ミストユニットボックス３内の水漏れ発生時以外のときに水抜き用貫通部５を封止するための封止部材７を設けるのが好ましく、この場合、浴室１０内の湿気が水抜き用貫通部５からミストユニットボックス３内を通って天井裏に浸入することを防止できるので、湿気による家屋への被害も確実に防止できるようになり、しかもミストユニットボックス３内への湿気の浸入も防止できるため、ミストユニットボックス３内部に設置される水漏れセンサ４が電極式で構成されている場合でも、湿気による水漏れセンサ４の誤動作を確実に防止できるようになる。
【００１３】
また、前記封止部材７は、漏れ水Ｗの重量を受けたときに水抜き用貫通部５を開く方向に撓み且つ該重量を受けなくなったときは水抜き用貫通部５を閉じる方向に撓み可能な弾性を有するフラップ弁８からなるのが好ましく、この場合、フラップ弁８は漏れ水Ｗの重量を利用して開閉動作を行なうので、フラップ弁８を開閉駆動させるための動力が不要となり、封止部材７の構造を簡易化することができる。
【００１４】
また、前記ミストユニットボックス３内に水漏れセンサ４を配置すると共に、水漏れセンサ４による水漏れ検出時に、装置の運転を停止する信号を送出する制御手段と、異常を報知する報知手段とを備えるのが好ましく、この場合、異常報知と同時に、熱源機８２等の運転を自動停止させることで水漏れが継続しなくなり、漏れ水Ｗによる家屋の建材への被害をいち早く止めることができる。また報知を行なうことにより、ユーザーに水漏れをいち早く知らせることができる。
【００１５】
また、前記ミストユニットボックス３の外部の配管接続箇所で発生した漏れ水Ｗをミストユニットボックス３の内部に導入するための水受け部材９を設けるのが好ましく、この場合、ミストユニットボックス３の水抜き用貫通部５を活用して、ミストユニットボックス３外部の配管接続箇所の水漏れにも十分に対処できるようになる。
【発明の効果】
【００１６】
本発明にあっては、ミストユニットボックスの底部に設けた水抜き用貫通部を利用してミストユニットボックス内での水漏れ発生時に漏れ水を浴室内に排出できるので、漏れ水による家屋への被害を防止することができ、安心してミストサウナ浴を楽しむことができる。
【発明を実施するための最良の形態】
【００１７】
以下、本発明を添付図面に示す実施形態に基いて説明する。
【００１８】
本実施形態のミストサウナ機能付き浴室暖房装置は、図６に示すように、浴室１０の天井部に設置されている。浴室１０の外部には給湯機能付き熱源機８２が設置され、浴室１０内の壁にはリモコン操作部８１が設置されている。図中の８０は換気ダクトである。リモコン操作部８１には、例えば、ミストサウナスイッチ、目標となる設定温度（例えば３８℃〜４６℃）を設定する温度スイッチ、さらに浴室暖房運転スイッチ、換気運転スイッチ、浴室乾燥スイッチ、涼風運転スイッチ、停止スイッチ等が設けられている。なおリモコン操作部８１は、浴室１０に設置される以外に、脱衣室側に設置されてもよく、或いはワイヤレスリモコンであってもよい。
【００１９】
前記ミストサウナ機能付き浴室暖房装置は、図１に示すように、浴室１０内に温風を供給する暖房機本体１と、温水をミスト状に噴霧するミスト噴霧ユニット２とを備えると共に、暖房機本体１を収納する樹脂製の暖房機本体ボックス１ａと、ミスト噴霧ユニット２の少なくとも液−液熱交換器１１を収納する金属製のミストユニットボックス３とに分離され、暖房機本体ボックス１ａの上にミストユニットボックス３を搭載した状態で互いに結合されている。なお図１（ａ）中の５４は温風吹き出し口の可動ルーバー、８０は換気ダクト、８５は換気ファンである。
【００２０】
前記暖房機本体ボックス１ａの内部には、図５に示すように、吸い込みグリル５７（図１（ａ））の近傍位置に、浴室温度を検知するサーミスター等からなる浴室温度センサ１６が配置されている。また、暖房機本体１内の循環通風路１８５内には浴室１０内の空気を吸い込んで再び浴室１０内に循環させる循環ファン６０が配置されると共に、空気を加熱するための空調用熱交換器５６が配置されている。本例では、暖房機本体ボックス１ａ内に熱媒循環路２９が収納され、熱媒循環路２９の往路２９ａは熱源機８２（図６）の熱媒吐出側に接続される。熱媒循環路２９の復路２９ｂは熱源機８２の回収側に接続される。熱媒循環路２９の途中は蛇行状に折曲されて空調用熱交換器５６の一次側水路を構成している。
【００２１】
また、熱媒循環路２９の往路２９ａには、空調用熱交換器５６への熱媒の供給量を調節するための熱動弁２８と、熱媒の温度を検知するサーミスター等からなる熱媒温度センサ３０とが配置されている。熱媒温度センサ３０で検知される熱媒温度は、空調用熱交換器５６及び液−液熱交換器１１を加熱するための温水温度である。
【００２２】
一方、ミスト噴霧ユニット２は、給水路１２から供給される水を加熱するための液−液熱交換器１１と、この液−液熱交換器１１で加熱された温水をミスト状に噴霧する複数（例えば２つ）のミストノズル１３と、各ミストノズル１３を開閉制御するノズル開閉弁１５とを備えている。本例では、ミストノズル１３とノズル開閉弁１５とミスト温度センサ１８は暖房機本体ボックス１ａ内に収納されている。
【００２３】
ここで、ミストユニットボックス３内には、給水継手２６を介して水道管５１（図６）に接続される給水路１２が配置されている。給水路１２の上流側にはストレーナ２５及び電磁弁からなる給水弁１７が設けられ、給水路１２の下流にはノズル開閉弁１５が設けられ、給水弁１７とノズル開閉弁１５との間に液−液熱交換器１１が配置されている。本例の液−液熱交換器１１は、例えば複数の波板状の伝熱プレートを間隔をあけて積層配置したプレート式熱交換器で構成される。液−液熱交換器１１の一次側水路は熱媒分岐循環路２３に接続され、二次側水路は給水路１２に接続されている。熱媒分岐循環路２３の上流は、暖房機本体ボックス１ａ内の熱媒の供給量を調整自在とする水比例弁２７を介して前記熱動弁２８よりも手前側の熱媒循環路２９の往路２９ａに分岐接続されており、熱媒分岐循環路２３の下流は戻り管２０を介して暖房機本体ボックス１ａ内の前記熱媒循環路２９の復路２９ｂと合流している。
【００２４】
また、給水路１２の液−液熱交換器１１とノズル開閉弁１５との間からは、排水路２４が分岐している。排水路２４の下流は電磁弁からなる排水弁１９を介して排水継手５０側に接続されている。例えば、ミストサウナ運転開始の指令直後に、ノズル開閉弁１５を閉じた状態で排水弁１９を開くことで、液−液熱交換器１１や給水路１２内に溜まっている水を排水路２４を通して外部の排水管５２（図６）に排水可能となる。また排水路２４はバキュームブレーカー２１を介して大気流入路２２に連通しており、排水時に排水路２４内を大気圧状態とすることで、排水弁１９から排水された汚れた水が排水路２４内に逆流するのを防止している。
【００２５】
前記浴室温度センサ１６、熱媒温度センサ３０、ミスト温度センサ１８からの各検知信号はマイクロコンピュータで構成された制御部（図示せず）に送られ、制御部はリモコン操作部８１から指令されるリモコン信号に基づいて、水比例弁２７、熱動弁２８、給水弁１７、ノズル開閉弁１５をそれぞれ開閉制御してミスト噴霧を行なうと共に浴室温度を設定温度に維持する制御を行なう。
【００２６】
また、前記ミストユニットボックス３の内部には、水漏れセンサ４が配置されている。この水漏れセンサ４は、ミストユニットボックス３内での水漏れを常に監視して、水漏れを検知したときにユーザーにその警報を発するセキュリティ機器として機能する。なお図２、図３はミスト噴霧ユニット２とミストユニットボックス３の一例を示している。図２（ａ）中の矢印イ、ロは給水路１２の水の流れ方向を示している。
【００２７】
ここで、本発明においては、図１（ｂ）に示すように、ミストユニットボックス３の底部３ａには、漏れ水Ｗを浴室１０内に落すための水抜き用貫通部５が開設されている。この水抜き用貫通部５の位置は、例えば図３（ａ）のようにミストユニットボックス３の底部３ａのコーナー部に寄せた位置とされる。なお図３（ａ）の水抜き用貫通部５以外の４つの開口穴５３ａ〜５３ｄは、ミストノズル１３に通じる給水路１２の配管用穴、液−液熱交換器１１の戻り側及び往き側のそれぞれ配管用穴、バキュームブレーカー２１に通じる大気流入路２２の配管用穴としてそれぞれ用いられる。
【００２８】
前記水抜き用貫通部５には、水漏れ発生時以外のときに水抜き用貫通部５を封止するための封止部材７が設けられている。本例の封止部材７は、図４に示すように、漏れ水Ｗの重量を受けたときに水抜き用貫通部５を開く方向に撓み且つ該重量を受けなくなったときは水抜き用貫通部５を閉じる方向に撓み可能な弾性を有するフラップ弁８で構成されている。フラップ弁８の基端部８ａには、図４（ａ）に示すように、ミストユニットボックス３の水抜き用貫通部５に近い下面部分にネジ７０（図１）にて固着される厚肉の固着孔８ｃが穿孔されると共に、該下面部分のネジ止め箇所に近い位置に設けた凹所（図示せず）に挿入される回り止め凸部８ｄが突設されており、これによりフラップ弁８の基端部８ａはネジ止めと回り止めとで確実に固着される。
【００２９】
前記フラップ弁８の先端部８ｂ側は薄肉ヒレ状に形成されており、本例では図４（ａ）のように基端部８ａから先端部８ｂ側にいくほど徐々に上向きに傾斜している。本例では、基端部８ａの上面に対する先端部８ｂの上面の角度が例えば、１７５°とされ、これによりフラップ弁８の基端部８ａをミストユニットボックス３の下面に固着した状態でフラップ弁８の先端部８ｂ側が水抜き用貫通部５の下面に対して一定の弾性力で接触して水抜き用貫通部５を封止した状態となるが、水漏れが発生してフラップ弁８の上に漏れ水Ｗが溜まるとその僅かな重量で下方に撓んで水抜き用貫通部５を開くようになっている。フラップ弁８の材料として例えば単結晶シリコンのような弾性材料が選ばれる。この単結晶シリコンは、一般に耐腐食性に優れ且つ撓みによる強度劣化もなく、可撓性弁の材料として好適である。
【００３０】
一方、暖房機本体ボックス１ａの天井部には、図１（ｂ）に示すように、前記ミストユニットボックス３の水抜き用貫通部５と連通する上部開口６が開設されている。この上部開口６は、例えば、図１（ａ）に示す換気ファン８５の背後スペースの真上に位置しており、これにより、水抜き用貫通部５から流れ落ちる漏れ水Ｗは、暖房機本体ボックス１ａの上部開口６から換気ファン８５の背後スペースに流れ落ち、さらに暖房機本体ボックス１ａ下面の吸い込みグリル５７等の既存の隙間から浴室１０内に流れ落ちるようになっている。
【００３１】
また、水漏れセンサ４による水漏れ検出時には、装置の運転を停止する信号を送出するマイクロコンピュータで構成される制御手段（図示せず）と、異常を報知する報知機器（図示せず）とを設けている。なお装置の運転を停止する信号は、例えば、熱源機８２の運転を止める信号、及び、ミスト噴霧ユニット２の運転を止める信号である。
【００３２】
しかして、ミストユニットボックス３内に収納されている液−液熱交換器１１の破壊による水漏れや、施工不良による水周りの配管接続箇所からの水漏れが発生した場合は、その漏れ水Ｗはミストユニットボックス３の底部３ａに溜まり、底部３ａに設けた水抜き用貫通部５を封止しているフラップ弁８が図１（ｂ）の仮想線のように漏れ水Ｗの重量を受けて下方に撓むことで、漏れ水Ｗが水抜き用貫通部５から浴室１０内に排水される。これにより、ミストユニットボックス３内の漏れ水Ｗが本装置が設置されている天井裏に漏れ出すことがないため、家屋への被害をくいとめることができる。しかも異常報知と同時に、本装置の運転を自動停止するシステムとなっているため、水漏れが継続しなくなり、漏れ水Ｗによる家屋の建材への被害をいち早く止めることができ、その一方で警報による報知によって、ユーザーはいち早く業者に知らせて修理にとりかかることができる。
【００３３】
しかも、水抜き用貫通部５をミストユニットボックス３の底部３ａに開設しているので、ミストユニットボックス３内の漏れ水Ｗは浴室１０内に排水されるようになり、衛生的なミストサウナ浴を安心して楽しむことができる。
【００３４】
また、水漏れ発生時以外のときは、フラップ弁８は自らの弾性復帰力で水抜き用貫通部５を封止した姿勢（図１（ｂ）の実線）を維持するので、浴室１０内の湿気が水抜き用貫通部５からミストユニットボックス３内を通って天井裏に浸入することを防止できるので、湿気による家屋への被害も確実に防止できるようになる。しかもミストユニットボックス３内への湿気の浸入も防ぐことができるので、ミストユニットボックス３内に設置される電磁弁からなる給水弁１７、排水弁１９、水比例弁２７などの電気部品が湿気にさらされる心配がなく、また、ミストユニットボックス３内に設置される水漏れセンサ４が電極式で構成されている場合でも、湿気による水漏れセンサ４の誤動作を確実に防止できるようになる。
【００３５】
また本例では暖房機本体ボックス１ａの上にミストユニットボックス３を搭載し、ミストユニットボックス３内の漏れ水Ｗを暖房機本体ボックス１ａ内の換気ファン８５の背後スペースを通って暖房機本体ボックス１ａ下面の吸い込みグリル５７等の隙間から浴室１０内に流れ落ちるので、浴室１０の天井部分に水抜き用の専用の孔を別途設ける必要がなく、浴室１０の天井の孔明け作業を省略できるうえに、漏れ水Ｗによる天井のシミ発生や腐食等を未然に防止できる利点がある。
【００３６】
また、暖房機本体ボックス１ａ内に収納される熱媒循環路２９から分岐した熱媒分岐循環路２３をミストユニットボックス３内に引き込んで液−液熱交換器１１に接続しているため、従来例（特開２００３−３３６８７５号公報）で説明した熱媒循環路がミストユニットボックス内に配置される構造と比較して、ミストユニットボックス３内の配管数が少なくなり、金属製のミストユニットボックス３の小型化、軽量化を容易に図ることができる利点がある。さらに、暖房機本体ボックス１ａの上にミストユニットボックス３を取り付けることによって、全体を小型化することができる。しかも、暖房機本体１の各部品の基本設計を変えずに、ミストサウナ機能を容易に付加できる利点もある。
【００３７】
また、フラップ弁８の取り付けをネジ止めで行なうので、取り付けが簡易であり、しかもフラップ弁８は漏れ水Ｗの重量を受けたときのみ開き、重量を受けなくなると閉じる方向に撓むので、フラップ弁８を開閉駆動するための動力が一切不要となり、封止部材７の構造を簡易にできる利点もある。
【００３８】
さらに本例では、図１（ａ）のようにミストユニットボックス３の外部に、水受け部材９が設けられており、給水継手２６、排水継手５０等の配管接続箇所で発生した漏れ水Ｗ´を水受け部材９で受けてミストユニットボックス３の内部に導入できるようにしている。つまり外部からの漏れ水Ｗ´は一旦、水受け部材９に溜まり、ミストユニットボックス３の側壁に設けた横穴３ｂからミストユニットボックス３の底部３ａに導かれ、さらに水抜き用貫通部５からフラップ弁８を開いて浴室１０内に流れ落ちるようになる。このとき、ミストユニットボックス３内の水漏れセンサ４が異常を検出して報知するので、ユーザーは水漏れを知ることができる。従って、ミストユニットボックス３の水抜き用貫通部５を活用して、外部の水漏れにも十分に対処できるようになり、また水漏れセンサ４は、ミストユニットボックス３外部の水漏れも同時に検知する働きをする。この結果、ミストユニットボックス３外部において配管ミスなどの施工不良が発生した場合でも、外部の漏れ水Ｗ´が家屋の天井裏の建材を腐らせるといった被害をなくすことができる。
【図面の簡単な説明】
【００３９】
【図１】（ａ）は本発明の一実施形態のミスト噴霧ユニットと暖房機本体とを備えたミストサウナ機能付き浴室暖房装置の一例を示す側面図、（ｂ）は（ａ）のＡ部の拡大図であり、フラップ弁が水抜き用貫通部を封止した状態及び漏れ水の重量でフラップ弁が下方に撓んだ状態を説明する断面図である。
【図２】（ａ）は同上のミスト噴霧ユニット及びミストユニットボックスの平面断面図、（ｂ）は正面図、（ｃ）は一部破断した正面図である。
【図３】（ａ）は同上のミストユニットボックスの平面図、（ｂ）は左側面図、（ｃ）は右側面図である。
【図４】同上の封止部材を構成するフラップ弁の一例を示し、（ａ）は平面図、（ｂ）は側面図、（ｃ）は正面図である。
【図５】同上のミストサウナ機能付き浴室暖房装置の内部配管構造の説明図である。
【図６】同上のミストサウナ機能付き浴室暖房装置の設置状態の説明図である。
【符号の説明】
【００４０】
１  暖房機本体
１ａ  暖房機本体ボックス
２  ミスト噴霧ユニット
３  ミストユニットボックス
３ａ  底部
４  水漏れセンサ
５  水抜き用貫通部
７  封止部材
８  フラップ弁
９  水受け部材
１０  浴室
Ｗ，Ｗ´  漏れ水
【図１】
2006071142.tif 000003
【図２】
2006071142.tif 000004
【図３】
2006071142.tif 000005
【図４】
2006071142.tif 000006
【図５】
2006071142.tif 000007
【図６】
2006071142.tif 000008